(57)【要約】【課題】車載用電子機器の操作部の奥行き寸法を小さくすることができ、また操作部の大きさ（占有面積）を極力小さくすることができる車載用電子機器を提供する。【解決手段】所定の動作制御を行うための入力を行う、スイッチあるいはタッチパネルからなる操作部２（２１）と、前記操作部２の上面に設けられたスクリーン部２２と、前記スクリーン部２２上に前記操作部の動作制御内容を示す画像を投影する投影機４と、前記操作部２の入力を受けて、前記動作制御を実行する制御手段３と、を備え、前記投影機４からスクリーン部２２に投影された画像に映し出された前記動作制御内容の表示部分を押圧することにより、表示部分に対応するスイッチあるいはタッチパネルが動作し、所定の動作が実行される。【選択図】図１
2013237287.tif 000002
【特許請求の範囲】
【請求項１】
所定の動作制御を行うための入力を行う、スイッチあるいはタッチパネルからなる操作部と、前記操作部の上面に設けられたスクリーン部と、前記スクリーン部上に前記操作部の動作制御内容を示す画像を投影する投影機と、前記操作部の入力を受けて、前記動作制御を実行する制御手段と、を備え、
前記投影機からスクリーン部に投影された画像に映し出された前記動作制御内容の表示部分を押圧することにより、表示部分に対応するスイッチあるいはタッチパネルが動作し、所定の動作制御がなされることを特徴とする電子機器。
【請求項２】
前記制御手段は、前記操作部の入力によって、第１の機能を実行する第１機能制御部と、前記操作部の入力によって、前記第１の機能とは異なる第２の機能を実行する第２機能制御部と、前記操作部の入力によって、前記第１機能制御部と前記第２機能制御部とを切り替える切替制御部と、を備え、
前記切替制御部によって前記第１機能制御部に切り替えられた場合には、前記第１の機能の動作制御内容を示す画像が前記投影機によって、前記スクリーン上に投影させると共に、前記操作部によって前記第１機能制御部を動作させ、
前記切替制御部によって第２機能制御部に切り替えられた場合には、前記第２の機能の動作制御内容を示す画像を前記投影機によって、前記スクリーン上に投影させると共に、前記操作部によって第２機能制御部を動作させることを特徴とする請求項１に記載された電子機器。
【請求項３】
前記投影機は、光源と、所定の画像が形成された表示パネルと、前記光源から出射された光の一部を透過させることによって、前記表示パネルの画像の一部を投影するフィルタとを備えることを特徴とする請求項１または請求項２に記載された電子機器。
【請求項４】
前記投影機は、光源と、記憶部から読出された画像を投影する液晶パネルとを備えることを特徴とする請求項１または請求項２に記載された電子機器。
【発明の詳細な説明】
【技術分野】
【０００１】
本発明は車載用電子機器に関し、例えば、オーディオ機器、ナビゲーションシステム、エアコン等の車両に搭載される車両用電子機器に関する。
【背景技術】
【０００２】
従来から車両には種々の電子機器が搭載され、電子機器は夫々に設けられたスイッチ等を操作することによって、所定の動作制御がなされる。
ところで、前記車載用電子機器に設けられたスイッチ等の操作部には、操作部の機能を説明するための文字や図形等の情報が表示されている。一般的に、この表示は前記操作部の背面側、即ち、電子機器の内部に発光ダイオードが設けられ、この発光ダイオードから出射された光が、前記操作部の上面に設けられた文字や図形等が付された表示板を透過するように構成されている。そして、操作者が前記表示板を透過した光を視認することにより、操作部の機能（表示内容）を認識できるようになされている。
【０００３】
この電子機器の操作部について、特許文献１に記載されて操作部を例にとって説明する。図８に示すように、特許文献１に記載された電子機器１００の操作部１０１の内部には、所定の波長の可視光である青色光を発する青色発光ダイオード１０２と、青色光と波長が異なる可視光である赤色光を発する赤色発光ダイオード１０３が設けられている。また、前記青色発光ダイオード１０２及び赤色発光ダイオード１０３の前面には、青色光および赤色光を遮光する遮光面に青色光および赤色光を透過させる透過窓１１１を設けた遮光パネル１１０が設けられている。
【０００４】
前記青色発光ダイオード１０２、赤色発光ダイオード１０３と、遮光パネル１１０との間には、前記透過窓の一部を覆い、赤色光を透過させ、青色光を遮光するロングパスフィルタ１０４と、青色光を透過させ、赤色光を遮光するショートパスフィルタ１０５が設けられている。
また、前記青色発光ダイオード１０２または赤色発光ダイオード１０３のいずれか一方を発光させる発光スイッチ部１０６が設けられている。
【０００５】
上述したように、遮光パネル１１０の遮光面は可視光を遮光するため、可視光が透過窓１１１からのみ漏出する。発光スイッチ部１０６が青色発光ダイオード１０３に電力を供給すると、青色発光ダイオード１０３が青色光を発光する。
かかる青色光は、透過窓１１１ａに設けられたロングパスフィルタ１０４によって遮光される。しかし、青色光は、ショートパスフィルタ１０５を透過するため、透過窓１１１ｂでは遮光されずに透過され、「ＡＶ」と表示される。
また、フィルタが何ら設けられていない透過窓１１１ｃでも、青色光は遮光されず透過され、「＋」「−」「モードへ切換」の表示がなされる。
【０００６】
同様に、発光スイッチ部１０６が赤色発光ダイオード１０３に電力を供給すると、赤色発光ダイオード１０３は赤色光を発光する。かかる赤色光は、透過窓１１１ｂに設けられたショートパスフィルタ１０５によって遮光される。しかし、赤色光は、ロングパスフィルタ１０４を透過するため、透過窓１１１ａでは遮光されずに透過され、「ＮＡＶＩ」と表示される。
また、フィルタが設けられていない透過窓１１１ｃでも、赤色光は遮光されず透過され、「＋」「−」「モードへ切換」の表示がなされる。
このようにして、操作部における表示が、「ＡＶモード」、「ＮＡＶＩモード」に切り替えられる。
【先行技術文献】
【特許文献】
【０００７】
【特許文献１】特開２０１０−２１７７１６号公報
【発明の概要】
【発明が解決しようとする課題】
【０００８】
ところで、特許文献１に示された電子機器では、操作部の内部に発光ダイオード、発光スイッチ部、フィルタが設けられ、そして操作部の前面に遮光パネル（表示パネル）が設けられている。
そして、この特許文献１には具体的には示されていないが、一般的に前記遮光パネル（表示パネル）を押圧することにより、押ボタン等のスイッチ機構を動作させ、発光スイッチ部を動作させるように構成されている。
そのため、前記車載用電子機器の操作部の奥行き寸法（背面側から前面側に至る寸法）として、発光ダイオード、発光スイッチ部、フィルタの配置に必要な長さ寸法が必要であり、車載用電子機器の厚さをより薄くし、より広い車内空間を得たいという要求を満足させるものではなかった。
【０００９】
また、前記操作部の内部には、電子機器の機能毎に、発光ダイオードが夫々配置されおり、電子機器の機能の増加等によって、多くの発光ダイオードを配置しなければならない。
その結果、電子機器の操作部が大きくなり、インスツルメントパネルのように限られたスペース内への配置が困難になるという技術的課題があった。
特に、車内には、エアコン、オーディオ、ナビゲーション等の機能を実行するための複数の電子機器が搭載されているため、数多くの電子機器の操作部を配置するには、各操作部を極力小さくしなければならないが、前記操作部の視認性の問題から操作部の縮小化にも限度がある。
【００１０】
本発明は、上記技術的課題を解決するためになされたものであり、車載用電子機器の操作部の奥行き寸法を小さくすることができ、また操作部の大きさ（占有面積）を極力小さくすることができる車載用電子機器を提供することを目的とする。
【課題を解決するための手段】
【００１１】
上記技術的課題を解決するためになされた本発明にかかる電子機器は、所定の動作制御を行うための入力を行う、スイッチあるいはタッチパネルからなる操作部と、前記操作部の上面に設けられたスクリーン部と、前記スクリーン部上に前記操作部の動作制御内容を示す画像を投影する投影機と、前記操作部の入力を受けて、前記動作制御を実行する制御手段と、を備え、前記投影機からスクリーン部に投影された画像に映し出された前記動作制御内容の表示部分を押圧することにより、表示部分に対応するスイッチあるいはタッチパネルが動作し、所定の動作制御がなされることを特徴としている。
【００１２】
このように、操作部上にスクリーン部が設けられ、このスクリーン部に投影された画像に映し出された表示部分（操作部）を押圧することにより、電子機器は表示部分に対応する所定の動作制御がなされる。
特に、操作部の表示部分がスクリーン部に投影された画像であるため、暗い車内おいても操作部の表示情報を容易に視認することができる。
また、投影機は前記操作部とは異なる場所に設置され、しかも複数の電子機器の操作部を、一つのスクリーン部上に映し出すことができるため、操作部の大型化を抑制することができる。
【００１３】
ここで、前記制御手段は、前記操作部の入力によって、第１の機能を実行する第１機能制御部と、前記操作部の入力によって、前記第１の機能とは異なる第２の機能を実行する第２機能制御部と、前記操作部の入力によって、前記第１機能制御部と前記第２機能制御部とを切り替える切替制御部と、を備え、前記切替制御部によって前記第１機能制御部に切り替えられた場合には、前記第１の機能の動作制御内容を示す画像が前記投影機によって、前記スクリーン上に投影させると共に、前記操作部によって前記第１機能制御部を動作させ、前記切替制御部によって第２機能制御部に切り替えられた場合には、前記第２の機能の動作制御内容を示す画像を前記投影機によって、前記スクリーン上に投影させると共に、前記操作部によって第２機能制御部を動作させることが望ましい。
【００１４】
このように構成されているため、同一の操作部を、第１の機能と第２の機能とを切り替えながら使用することができるため、両方の操作部として用いることができる。その結果、夫々の機能毎に操作部を設けた場合に比べて、操作部の占有面積を小さくすることができる。
【００１５】
また、前記投影機は、光源と、所定の画像が形成された表示パネルと、前記光源から出射された光の一部を透過させることによって、前記表示パネルの画像の一部を投影するフィルタとを備えることが望ましい。
この場合には、光源、フィルタ、表示パネルの簡素な構成で投影機を構成することができるので、電子機器の製造コストを抑制することができる。
【００１６】
また、前記投影機は、光源と、記憶部から読出された画像を投影する液晶パネルとを備えることが望ましい。
この場合には、投影機は、画像情報をメモリ等の記憶部に記憶しておき、必要な画像を前記記憶部から読出すことによって、画像の変更を容易に行うことができ、しかも多様な画像を投影することができる。
特に、光源と、液晶パネルとによって投影機を構成し、操作部にタッチパネルを用いた場合には、タッチパネルよる操作者の操作範囲を自由に設定することができるだけでなく、その設定に応じた多様な画像を投影機にて投影することができるので、設計自由度を飛躍的に向上させることができる。
【発明の効果】
【００１７】
本発明によれば、車載用電子機器の操作部の奥行き寸法をより小さくすることができ、また操作部（操作表示部）の占有面積をより小さくすることができる車載用電子機器を得ることができる。
【図面の簡単な説明】
【００１８】
【図１】本発明にかかる電子機器が車両に搭載された状態を示す模式図である。
【図２】本発明の一実施形態にかかる操作部を示す分解斜視図である。
【図３】本発明の一実施形態にかかる操作部の一部断面図である。
【図４】本発明の一実施形態にかかる投影機を示す概略構成図である。
【図５】投影機によって映し出されたスクリーン部上の操作部の表示であって、（ａ）はオーディオ機器を操作する場合の操作部表示を示し、（ｂ）はエアコン機器を操作する場合の操作部表示を示す概略図である。
【図６】本発明の第１実施形態にかかる電子機器の概略構成を示すブロック図である。
【図７】本発明の第２実施形態にかかる電子機器の概略構成を示すブロック図である。
【図８】従来の電子機器の操作部を示す概略構成図である。
【発明を実施するための形態】
【００１９】
本発明にかかる車載用電子機器の第１の実施形態について、図１乃至図７に基づいて説明する。尚、この第１の実施形態にあっては、車載用電子機器がエアコン、オーディオである場合を例にとって説明する。
図１に示すように、この車両Ｖに搭載される車載用電子機器１は、所定の動作制御信号を入力する操作部２と、前記操作部２からの動作制御信号を受け、電子機器１を所定の動作になす制御手段３とを備えている。
尚、前記操作部２は、自動車Ｖの前方のインストルメントパネルＩＰ上に設けられ、前記制御手段３は前記インストルメントパネルＩＰ内部に設けられる。
【００２０】
前記操作部２は、操作者の操作に基づいて、エアコンやオーディオなどの所定の機能を前記制御手段３に実行させるスイッチ部２１と、前記スイッチ部２１の上に重ねて設けられたスクリーン部２２とを備えている。
【００２１】
前記スイッチ部２１は、一般的なフィルムスイッチや、ドーム型スイッチなどの薄型のスイッチによって構成される。このスイッチ部２１がフィルムスイッチから構成されている場合を例にとって、図２に基づいて説明する。
【００２２】
このスイッチ部２１は、回路基板２３、スペーサ板２４、接点シート２５を備えている。前記回路基板２３上には、回路パターン（図示せず）と、相対向した一対の電極２３ａが形成されている。
また、前記回路基板２３上にはスペーサ板２４が設けられ、前記電極２３ａの形成位置に対応する位置に、貫通穴２４ａが設けられている。
更に、前記スペーサ板２４の上には接点シート２５が設けられ、前記貫通穴２４ａの形成位置に対応する位置に、接点２５ａが設けられている。尚、前記接点シート２５の下面に形成された接点２５ａは、カーボン等の導電性材料を塗布印刷することにより、所定の厚さに形成されている。
【００２３】
また、図３に示すように、接点シート２５（スイッチ部２１）の上面には、スクリーン部２２が貼着される。
このスクリーン部２２は樹脂材料からなり、その上面には反射効率の高いメッキ塗装が施されている。尚、このスクリーン部２２は、上面が反射率の高いものであれば良く、例えば、スクリーン部２２自体をアルミ板で形成し、上面を鏡面加工したものであっても良い。また、一般的に知られているプラスチック系反射材等を用いても良い。
【００２４】
そして、このように構成されたスイッチ部２１にあっては、スクリーン部２２の表面に外力Ｐが作用すると、図３に示す仮想線のように中央部分が変形し、前記接点２５ａが電極２３ａに接触する。
これにより、一対の電極２３ａの間が電気的に接続され、このスイッチが「ＯＮ」したことにより、電子機器は所定の動作制御を実行する。
尚、このスイッチ部２１には、従来のような発光ダイオードは設けられていない。また、スイッチ部２１には、例えば横方向にスイッチが６個、縦方向にスイッチが５個のように、複数のスイッチが配置されている。
【００２５】
更に、自動車Ｖの車内の前部天井には、前記スクリーン部２２に画像を投影する投影機４が設けられている。この投影機４は、図４に示すように、２つの光源４１Ａ，４１Ｂと、前記光源４１Ａ，４１Ｂから出射された光の一部を透過させる２つのフィルタ４２Ａ，４２Ｂとを備えている。
【００２６】
前記光源４１Ａは、青色光を出射する青色発光ダイオードであり、前記光源４１Ｂは、赤色光を出射する赤色発光ダイオードである。
また、前記光源４１Ａ，４１Ｂは基板Ｂ上に配置され、またフィルタ４２Ａ，４２Ｂは前記光源４１Ａ，４１Ｂの下方に配置されている。また、前記光源４１Ａ，４１Ｂ及びフィルタ４２Ａ，４２Ｂは、夫々の光源から出射された光Ｌ１．Ｌ２が夫々のフィルタを通過して、前記スクリーン２２部に照射されるように配置されている。
【００２７】
前記フィルタ４２Ａは、青色光のみを透過するフィルタである。また前記フィルタ４２Ａの前面には、表示パネル４３Ａが設けられている。
この表示パネル４３Ａは、前記スクリーン部２２にオーディオの機能を説明するための文字や図形などの情報を投影するため、前記文字や図形の表示部分を除いて遮光塗料が塗布されている。
即ち、前記フィルタ４２Ａを透過した青色光は、前記表示パネル４３Ａの文字や図形の表示部分を透過し、前記スクリーン２２部上に前記文字や図形を投影するように構成されている。
【００２８】
前記表示パネル４３Ａについて、図５（ａ）に基づいて更に説明する。尚、図５（ａ）は、スクリーン部２２に投影された状態を示している。
前記表示パネル４３Ａは、例えば、「ＡＭ」と「ＮＯ．１〜ＮＯ．５」、「ＦＭ」と「ＮＯ．１〜ＮＯ．５」、「ＤＶＤ」と「ＰＬＡＹ」「ＳＴＯＰ」等の動作表示、「ＴＶ」と「ＮＯ．１〜ＮＯ．５」、「音量」と「＋」「−」等の文字や図形等が付された表示板であって、付された文字や図形等は可視光を透過するように構成され、前記文字や図形等以外の部分は遮光されている。
【００２９】
そして、前記前記フィルタ４２Ａを介して、表示パネル４３Ａを通過した光（前記表示パネル４３Ａに付された文字や図形等を透過した光）は、スクリーン部２２上に前記文字や図形等映し出す。
尚、例えば、ＡＭラジオの選択は、「ＡＭ」と映し出された（Ｘ１、Ｙ１）の位置にあるスイッチを押圧することにより、ＡＭラジオの選択を行うことができる。
【００３０】
また、前記フィルタ４２Ｂは、赤色光のみを透過するフィルタである。このフィルタ４２Ｂの前面には、表示パネル４３Ｂが設けられている。この表示パネル４３Ｂは、前記スクリーン部２２にエアコンの機能を説明するための文字や図形などの情報を投影するため、前記文字や図形の表示部分を除いて遮光塗料が塗布されている。
即ち、前記フィルタ４２Ｂを透過した赤色光は、前記表示パネル４３Ａの文字や図形の表示部分を透過し、前記スクリーン２２部上に前記文字や図形を投影するように構成されている。
【００３１】
前記表示パネル４３Ｂについて、図５（ｂ）に基づいて更に説明する。尚、図５（ｂ）は、スクリーン部２２に投影された状態を示している。
表示パネル４３Ｂは、例えば、「エアコン」と「ＯＮ」「ＯＦＦ」、「温度」と「＋」「−」、「風両」と「ＮＯ．１〜ＮＯ．５」、「風吹出し」と「絵文字表示」、「循環」と「絵文字表示」等の文字や図形等が付された表示板であって、付された字や図形等を可視光を透過するように構成され、前記文字や図形等以外の部分は遮光されている。
尚、図５（ａ）（ｂ）に示す、（Ｘ４〜６、Ｙ５）の「オーディオ・エアコン切換え」は青色光および赤色光を透過させように、透過窓（貫通穴）で形成され、この部分には前記フィルタ４２Ａ、４２Ｂのいずれも設けられていない。
【００３２】
また、図６に示すように、この電子機器１の制御手段３は、エアコン制御部３１と、オーディオ制御部３２と、切替制御部３３と、投影制御部３４、記憶部５０とを備えている。具体的には、前記制御手段３は、ＣＰＵ（Central Processing Unit）の演算処理手段（制御部）と、メモリ等の記憶手段（記憶部）等によって構成され、この記憶部５０に記憶された所定のプログラムに従って情報処理を実行するように構成されている。
【００３３】
前記エアコン制御部３１は、前記操作部２の操作されたスイッチに応じて、第１の機能としてのエアコンの機能を実行するように構成されている。
また、前記オーディオ制御部３２は、前記操作部２が操作されたスイッチに応じて、エアコンの機能とは異なる第２の機能としてのオーディオの機能を実行するように構成されている。
【００３４】
また、前記切替制御部３３は、前記操作部２の「オーディオ・エアコン切換え」スイッチに応じて、前記エアコン制御部３１と、前記オーディオ制御部３２とを交互に切り替える動作制御を行うように構成されている。
【００３５】
また、前記投影制御部３４は、前記切替制御部３３にて前記オーディオ制御部３２に切り替えられた場合には、オーディオの機能を示す画像を前記投影機４によって投影し、図５（ａ）に示す表示をスクリーン部に表示するように構成されている。具体的には、前記投影制御部３４は、前記光源４１Ａのみを発光させることによって、オーディオの機能を示す画像を前記投影機４に投影する。
【００３６】
また、前記投影制御部３４は、前記切替制御部３３にて前記エアコン制御部３１に切り替えられた場合には、エアコンの機能を示す画像を前記投影機４に投影させ、図５（ｂ）に示す表示をスクリーン部に表示するように構成されている。具体的には、前記投影制御部３４は、前記光源４１Ｂのみを発光させることによって、エアコンの機能を示す画像を前記投影機４に投影する。
【００３７】
次に、この車載用電子機器１の動作について説明する。
例えば、前記光源４１Ａのみを発光させフィルタ４２Ａ、表示パネル４３Ａを介して、オーディオの機能を示す画像を前記投影機４からスクリーン部２上に投影する。このときスクリーン部２は高い反射率を有しているため、画像が鮮明に映し出される。この状態を図５（ａ）に示す。
【００３８】
前記操作部２には、例えば、スイッチはＸ方向に６個、Ｙ方向に５個設けられており、「ＮＯ．５」にプリセットされたＡＭ局を選択する場合には、（Ｘ１，Ｙ１）の「ＡＭ」と表示されたスイッチをまず押圧し、更に（Ｘ１，Ｙ６）の「５」と表示されたスイッチを押圧する。これによりオーディオ制御部３２がメモリ等の記憶部５０から「ＮＯ．５」にプリセットされたＡＭ局を読み出し、電子機器を前記ＡＭ局の受信状態になす。また、この受信状態をメモリ等の記憶部５０に保存する。
また、音大きくする場合には、（Ｘ１，Ｙ５）の「音量」をまず押圧し、更に（Ｘ２，Ｙ５）の「＋」を押圧する。これによりオーディオ制御部３２が音量を増大させ、その状態をメモリ等の記憶部５０に保存する。
【００３９】
更に、エアコンの操作を行う場合には、（Ｘ４〜６，Ｙ５）の「オーディオ・エアコン切換え」と表示されたスイッチを押圧する。
尚、この「オーディオ・エアコン切換え」の表示領域には、Ｘ方向に３つのスイッチ（Ｘ４〜６，Ｙ５）が設けられているが、いずれのスイッチを押圧しても切換制御部３３が動作するよう制御されている。
【００４０】
そして、（Ｘ４〜６，Ｙ５）の「オーディオ・エアコン切換え」スイッチが押圧されると、切換制御部３３が動作し、光源４１Ａから光源４１Ｂに切換えがなされると共に、オーディオ制御部３２からエアコン制御部３１に切換えられる。また、前記光源４１Ｂのみを発光させ、フィルタ４２Ｂ、表示パネル４３Ｂを介して、エアコンの機能を示す画像を前記投影機４からスクリーン部２上に投影される。
このときスクリーン部２は高い反射率を有しているため、画像が鮮明に映し出される。この状態を図５（ｂ）に示す。
【００４１】
そして、エアコンを動作させる場合には、（Ｘ１，Ｙ１）の「エアコン」と表示されたスイッチをまず押圧し、更に（Ｘ１〜２，Ｙ１）の「ＯＮ」と表示されたスイッチを押圧する。これによりエアコン制御部３１がエアコン動作させる。そして、その状態をメモリ等の記憶部５０に保存する。
また、温度を下げる場合には、（Ｘ１，Ｙ２）の「温度」と表示されたスイッチを押圧し、更に（Ｘ４〜６，Ｙ２）の「―」と表示されたスイッチを押圧する。これによって、エアコン制御部３１が動作制御し、温度を下げる。そして、その状態をメモリ等の記憶部５０に保存する。
【００４２】
このように、オーディオ、エアコンの動作状態はメモリ等の記憶部５０に保存され、変更がなされるまで、その状態が維持される。
そして、オーディオの状態に再び変更する場合には、（Ｘ４〜６，Ｙ５）の「オーディオ・エアコン切換え」スイッチを押圧し、「オーディオ」の操作部をスクリーン部上に表示し、前記した操作を行う。
【００４３】
以上説明したように、前記電子機器１の操作部の内部には、従来のような発光ダイオード、フィルタ等が設けられていないため、車載用電子機器の厚さをより薄くでき、車内空間をより広げることができる。また、前記したように、例えば、エアコンとオーディオの操作部の表示を一つのスクリーン部で行うことができるため、一つの操作表示を小さくすることなく、操作部の大きさ（占有面積）が増大するのを抑制することができる。
【００４４】
また、第１の実施形態では、前記光源４１Ａは、青色発光ダイオードであり、前記光源４１Ｂは、赤色発光ダイオードであったが、これらとは異なる色の発光ダイオードであってもよい。
更に、光源は、発光ダイオードに限定されるものではなく、他の種類の光源であってもよい。この際、フィルタは、光源から出射された光の一部を透過させることによって、画像を投影することができるものであれば良く、光源の色や種類に応じて適宜選択することができる。
【００４５】
次に、本発明の電子機器の第２実施形態について、図７に基づいて説明する。尚、図１〜図６に示した部材と同一、あるいは相当する部材については、同一符号を付してその説明を省略する。
【００４６】
前記第１実施形態における操作部２は、薄型のスイッチからなる前記スイッチ部２１と、前記スクリーン部２２とを備えていた。これに対して、第２の実施形態の電子機器１Ａは、前記薄型のスイッチの代わりにタッチパネル２１Ａを有し、このタッチパネル２１Ａの上にスクリーン部２２が設けられている。尚、タッチパネル２１Ａの上面を高反射率の部材で形成し、スクリーン部２２としても良い。
【００４７】
また、このタッチパネル２１Ａは、一般的なタッチパネル、例えば静電容量式のタッチパネルを用いることができる。このようにタッチパネル２１Ａを用いても、前記薄型のスイッチと同様に、スクリーン部２２の押圧された位置から、その押圧位置に表示された機能を実行させることができる。
【００４８】
また、前記第１実施形態の電子機器１では、光源４１Ａ，４１Ｂと、フィルタ４２Ａ，４２Ｂと、表示パネル４３Ａ，４３Ｂとを備えていた。これに対して、第２の実施形態では、前記電子機器１Ａは、液晶パネル４４と、前記液晶パネル４４を背面から照射するバックライト４１Ｃとを備えている。
【００４９】
この電子機器１Ａでは、「オーディオ・エアコン切換え」スイッチが押圧されると、記憶部５０に保存されている画像を読み出し、液晶パネル４４に表示し、液晶パネル４４上の表示をスクリーン部２２に投影する。
そして、この投影されたスクリーン部２２の表示部を押圧すると、タッチパネル２１によって押圧位置が検出され、エアコン制御部あるいはオーディオ制御部は動作制御し、その押圧位置に表示された機能を実行する。
【００５０】
この電子機器１Ａによれば、液晶パネル４４を用いているため、第１の実施形態のように、エアコン、オーディオ毎の光源や、フィルタ、表示パネルが不要である。特に、例えば、ナビゲーション等の新たな電子機器が増えた場合にも、光源や、フィルタ、表示パネルを増加させる必要がないため、天井部の空間を有効に利用することができる。また、タッチパネルが用いられているため、車載用電子機器の厚さを薄くすることができる。
【符号の説明】
【００５１】
１，１Ａ        電子機器
２，２Ａ        操作部
３              制御手段
４，４Ａ        投影機
２１            スイッチ部
２１Ａ          タッチパネル
２２            スクリーン
３１            エアコン制御部（第１機能制御部）
３２            オーディオ制御部（第２機能制御部）
３３            切替制御部
３４            投影制御部
４１Ａ，４１Ｂ  光源
４２Ａ，４２Ｂ  フィルタ
４３Ａ，４３Ｂ  表示パネル
４４            液晶パネル
５０            記憶部
【図１】
2013237287.tif 000003
【図２】
2013237287.tif 000004
【図３】
2013237287.tif 000005
【図４】
2013237287.tif 000006
【図５】
2013237287.tif 000007
【図６】
2013237287.tif 000008
【図７】
2013237287.tif 000009
【図８】
2013237287.tif 000010